(57)【要約】【課題】被写体像及び構図補助線を見やすく表示でき、構図決定作業を容易に行うことができるカメラの画像表示方法を提供することである。【解決手段】電子撮像装置の電子撮像素子によって被写体像が電気信号に変換され、上記電子撮像装置から出力されるイメージ信号に基いて液晶モニタ２５に撮像画像が表示される。また、液晶モニタ２５に表示された撮像画像に重ねて、ＲＯＭ３７ａに記憶された構図決定用の補助線パターンが補助線表示装置によってスーパーインポーズ表示される。そして、切換スイッチ４２によって撮影モードが設定されると、その撮影モードに最適な補助線パターンが自動的に選択されてスーパーインポーズ表示される。【選択図】図１
2005321832.tif 000002
【特許請求の範囲】
【請求項１】
電子画像をモニタに表示するためのカメラの画像表示方法に於いて、
複数用意された構図決定用補助線の中から、カメラの撮影モードに対応する構図決定用補助線を選択し、該選択された構図決定用補助線を上記電子画像に重ねて表示することを特徴とするカメラの画像表示方法。
【請求項２】
電子画像をモニタに表示するためのカメラの画像表示方法に於いて、
手動操作に応答して、複数用意された構図決定用補助線の中から特定の構図決定用補助線を選択し、該選択された構図決定用補助線を上記電子画像に重ねて表示することを特徴とするカメラの画像表示方法。
【発明の詳細な説明】
【技術分野】
【０００１】
この発明は、被写体像を電気信号に変換して表示するカメラの画像表示方法に関する。
【背景技術】
【０００２】
特にマクロ（接写）撮影、複写撮影、建築物撮影、風景撮影等のように、撮影者がしっかりと構図決定を必要とする撮影をしたい場合のために、例えば一眼レフレックス銀塩カメラに於いては、ファインダの被写体像結像面であるフォーカシングスクリーンを着脱交換可能に構成し、構図補助線等が直接刻まれて形成されたフォーカシングスクリーンへと撮影者が必要により交換する方式のものがある。具体的なフォーカシングスクリーンとしては、図９（ａ）に示される複写や建築物撮影に有効とされる方眼線タイプ、図９（ｂ）に示されるマクロ撮影に有効とされるメモリ線タイプ、そして図９（ｃ）に示される風景撮影に安定構図を得るのに有効な黄金分割線タイプがある。
【０００３】
ところで、このようなフォーカシングスクリーンは、撮影者がフォーカシングスクリーンを必要なときに自身で交換するような構造になっているので、大変煩わしく、またその作業も容易とはいえないもので、取扱いに注意を払う必要がある。
【０００４】
そこで、ファインダ光学系の光路中に透視型液晶表示素子を配置したファインダ内表示装置であって、必要な構図決定の補助線表示のみが表示されるようにしたカメラが知られている（例えば、特許文献１参照）。
【特許文献１】実開平７−４１５４３号公報
【発明の開示】
【発明が解決しようとする課題】
【０００５】
ところで、上述した特許文献１に記載されたようなカメラに於いては、マクロ撮影時の撮影倍率に係るスケール調整確認、複写撮影や建築物撮影時の歪曲のチェック、風景撮影時の安定構図決定等、慎重に行うべき構図決定作業をするにあたり、ファインダのような小さな画面を見ることや、ファインダを覗くために目を所定位置にする必要がある。そのため、構図の確認が困難であり、撮影者の眼精疲労も多くなってしまうという課題を有している。
【０００６】
したがってこの発明の目的は、上述したような課題に鑑みてなされたものであり、被写体像及び構図補助線を見やすく表示可能で、構図決定作業を容易に行うことができるカメラの画像表示方法を提供することにある。
【課題を解決するための手段】
【０００７】
すなわち、請求項１に記載の発明は、電子画像をモニタに表示するためのカメラの画像表示方法に於いて、複数用意された構図決定用補助線の中から、カメラの撮影モードに対応する構図決定用補助線を選択し、該選択された構図決定用補助線を上記電子画像に重ねて表示することを特徴とする。
【０００８】
請求項２に記載の発明は、電子画像をモニタに表示するためのカメラの画像表示方法に於いて、手動操作に応答して、複数用意された構図決定用補助線の中から特定の構図決定用補助線を選択し、該選択された構図決定用補助線を上記電子画像に重ねて表示することを特徴とする。
【発明の効果】
【０００９】
この発明によれば、被写体像及び構図補助線を見やすく表示可能で、構図決定作業を容易に行うことができるカメラの画像表示方法を提供することができる。
【００１０】
そして、慎重に行うべき構図決定作業に於いて、光学ファインダのような小さな画面を見たり、ファインダを覗くために目を所定位置にする必要がなく、モニタ画面により被写体像及び構図補助線を見やすく表示できると共に、構図決定を客観的に行うことができ、撮影者の眼精疲労も軽減することができる。
【００１１】
また、構図補助線を撮影する被写体に応じて適するものを容易に選択または切換え可能にしたので、最適な構図の確認決定が容易にできる。更に、撮影モードに応じて、自動的に構図線が切換わるので、初心者であっても最適な構図線で撮影を行うことができる。
【発明を実施するための最良の形態】
【００１２】
以下、図面を参照して、この発明の実施形態を説明する。
【００１３】
図１は、この発明の一実施形態に於ける一眼レフレックスカメラの構成を示すブロック図である。
【００１４】
図１に於いて、被写体像を結像させるための撮影レンズは、正レンズ１ａと絞り機構２を挟んで負レンズ１ｂにより構成される。すなわち、上記絞り機構２は撮影レンズ中に配置される。
【００１５】
上記負レンズ１ｂの後方にはハーフミラー３が設けられており、該ハーフミラー３によって反射される被写体光の一部は、結像レンズ系４を介してエリアセンサ５に結像される。
【００１６】
更に、ハーフミラー３の後方には、ほぼ中央部分がハーフミラーとなっている可動ミラー６が設けられている。そして、この可動ミラー６の中央背面部分には、下方に被写体光を反射するようにしてサブミラー７が設けられている。
【００１７】
このサブミラー７の反射光軸方向であって、図面略垂直方向には、２つの光学系で構成される２像分離のためのセパレータ光学系８が配置されている。また、このセパレータ光学系８による被写体像の結像位置には、ラインセンサ９が配置されている。これらのサブミラー７、セパレータ光学系８、ラインセンサ９等によって、公知の位相差法による焦点検出装置が構成されている。
【００１８】
また、撮影レンズより見て可動ミラー６の後方には、シャッタ１０が配置される。更に、このシャッタ後方に銀塩フィルム１１が配置される。可動ミラー６が上昇してシャッタ１０が開放状態となると、銀塩フィルム１１上に被写体像が形成され、露光される。
【００１９】
上記シャッタ１０は公知のフォーカルプレーンシャッタであり、一眼レフレックスの構成をとるカメラに一般的に搭載されている。フォーカルプレーンシャッタは、露光に先立って内蔵されたばね（図示せず）をチャージし、そのばねの付勢力によって先幕と後幕を走行させるものである。
【００２０】
銀塩フィルム１１上のベース側の面には、磁気情報の記録層（不図示）が形成されており、この磁気情報記録層と接するように銀塩フィルム１１の後方に磁気ヘッド１２が配置されている。この磁気ヘッド１２は、種々の情報を磁気記録することと、銀塩フィルム１１に磁気記録された情報を読取る機能を併せ持っており、磁気ヘッド駆動部３３によって磁気情報の記録と読取りの制御が行われる。
【００２１】
また、上記可動ミラー６で上方に反射された被写体光は、焦点板１３、ペンタプリズム１４を介してファインダ接眼光学系１５に至る。
【００２２】
上記撮影レンズの各レンズ１ａ、１ｂには、ピント調節動作用及びズーミング動作用のレンズ駆動部２０が設けられている。上記正レンズ１ａ及び負レンズ１ｂを、それぞれレンズ駆動部２０により適宜光軸方向に進退させることにより、撮影光学系１の焦点距離や焦点位置が変更される。
【００２３】
上記レンズ駆動部２０は、上記各レンズ１ａ、１ｂの移動に応じて信号を発生する図示しないエンコーダを有している。後述するＣＰＵ３７は、上記演算された駆動量とエンコーダ出力とに基いて合焦動作を行う。
【００２４】
尚、このレンズ駆動部２０には、既知の電磁モータ、超音波モータ等の駆動源や、これら駆動源を制御するためのドライバ回路等が含まれる。
【００２５】
また、上記絞り機構２には、絞り駆動部２１が設けられている。上記絞り機構２は、絞り駆動部２１によって駆動される。この絞り駆動部２１には、上記レンズ駆動部２０と同様に、既知の電磁モータ、超音波モータ等の駆動源や、これら駆動源を制御するためのドライバ回路等が含まれる。
【００２６】
エリアセンサ５は、エリアセンサ駆動部２２によって制御されるもので、結像された被写体像をアナログ映像信号に変換して信号処理回路２３に出力する。この信号処理回路２３は、後述するＣＰＵ３７からの制御信号（画像取込み指示信号や表示指示信号）に応答して動作し、上記アナログ信号のデジタル信号への変換を含む所定の信号処理を行うものである。
【００２７】
また、上記信号処理回路２３には、ビデオメモリ２４及び液晶モニタ２５が接続されている。信号処理回路２３で処理された電子画像データは、ビデオメモリ２４に転送されて記憶された後、モニタ手段である液晶モニタ２５に電子画像として表示される。
【００２８】
上記信号処理回路２３は、液晶モニタ２５に被写体の電子画像が表示されているときに、ＣＰＵ３７から送信されたスーパーインポーズ用データを液晶モニタ２５の画面にスーパーインポーズ表示する機能も有している。その際に、スーパーインポーズ表示される内容は、構図決定の補助となる各種の補助線である。
【００２９】
更に、信号処理回路２３は測光機能も有しており、エリアセンサ５の信号を利用して被写体の輝度を計測すると共に、デジタル変換した後に測光データとしてデータバス３０を介してＣＰＵ３７に送信する。
【００３０】
上記ラインセンサ９はラインセンサ駆動部２６により駆動されるもので、同様に、上記可動ミラー６はミラー駆動部２７によって駆動される。更に、シャッタ１０はシャッタ駆動部３１によって駆動され、銀塩フィルム１１及び磁気ヘッド１２は、それぞれフィルム駆動部３２及び磁気ヘッド駆動部３３により駆動される。
【００３１】
上記フィルム駆動部３２は、銀塩フィルム１１をカメラ本体内に装填した際にフィルムの初期頭出しのための空送り巻上げ動作、また１駒の撮影終了後に次の駒位置へのフィルム給送を行う巻上げ動作、更に上記銀塩フィルム１１の全駒撮影終了後または図示されない強制巻戻し釦が操作された際の巻戻し動作に関わるフィルム給送全般の駆動制御を行う。尚、上記磁気ヘッド１２による磁気情報記録、読取りは、銀塩フィルム１１の給送動作中に実行される。
【００３２】
ここで、上レンズ駆動部２０、絞り駆動部２１、エリアセンサ駆動部２２、信号処理回路２３、ビデオメモリ２４、ラインセンサ駆動部２６、ミラー駆動部２７、シャッタ駆動部３１、フィルム駆動部３２及び磁気ヘッド駆動部３３は、データバス３０によって互いに接続される。更に、このデータバス３０には、ストロボ発光部３４が接続されたストロボ制御部３５と、不揮発性メモリ３６と、ＣＰＵ３７と、回路２６、スイッチ入力回路２７が、データバス３０によってＲＯＭ３７ａを内蔵したＣＰＵ３７と、スイッチ入力部３８とが接続されている。
【００３３】
ここで、このシステム内の各回路は、全てＣＰＵ３７によって制御され、各回路間のデータ通信はデータバス３０を介して行われるようになっている。
【００３４】
上記信号処理回路２３は、ＣＰＵ３７からの要求に応じて、処理済みの電子画像データを、データバス３０を介して該ＣＰＵ３７へ転送する。ＣＰＵ３７は、このデータを圧縮処理して、ＥＥＰＲＯＭ等により形成される不揮発性メモリ３６に転送して記憶させる。
【００３５】
この不揮発性メモリ３６は、電気的に書換えが可能であって、カメラ本体の電源がオフしても記憶内容が保持されるので、電子画像の記録に用いられる。また、この不揮発性メモリ３６は、カメラ本体に対して装着自在に構成されている。
【００３６】
また、ＣＰＵ３７内のＲＯＭ３７ａには、上述した液晶モニタ２５に表示された被写体の電子画像にスーパーインポーズされる各種の補助線パターンのデータが記憶されている。
【００３７】
上記信号処理回路２３は、また、測光機能も有しており、エリアセンサ５の信号を利用して被写体の輝度を計測すると共に、デジタル変換した後に測光データとしてデータバス３０を介してＣＰＵ３７に送信する。
【００３８】
尚、ＣＰＵ３７は、信号処理回路２３から出力される被写体輝度値、及び図示されないフィルム感度検出回路によって検出されたフィルム感度に基いて、適正露出の得られる絞り機構４の絞り値及びシャッタ速度を演算する。シャッタ１０は、この演算されたシャッタ速度で駆動制御されるようになっている。
【００３９】
上記ストロボ発光部３４は、被写体を照明するためにカメラ本体に設けられている。そして、このストロボ発光部３４は、ストロボ制御部３５を介してＣＰＵ３７によって発光制御され、例えば被写体輝度が所定輝度より低いとＣＰＵ３７が判断した場合に補助光として発光される。
【００４０】
上記スイッチ入力部３８には、例えば第１レリーズスイッチ４０ａと第２レリーズスイッチ４０ｂとから成るレリーズスイッチ４０と、図示されない巻戻し釦に連動する巻戻しスイッチ４１、更には図２に示される切換釦５３に連動して液晶モニタ２５の表示を切換える切換スイッチ４２等の、操作スイッチや機構系動作の検出スイッチ等の複数のスイッチが接続されており、これらの各スイッチの状態が、電気信号としてＣＰＵ３７に送信される。
【００４１】
尚、上記第１レリーズスイッチ４０ａは、レリーズ釦５４の半押し操作に連動してオンするスイッチであり、第２レリーズスイッチ４０ｂはレリーズ釦５４の全押し操作に連動してオンするスイッチである。
【００４２】
ところで、この実施形態に於いて、被写体モニタ用として、上記液晶モニタ２５に加えて上述した光学ファインダをも設けている理由は、カメラ操作者が液晶モニタ２５を見ながら撮影を行うよりも、光学ファインダを覗きながら撮影を行った方が、カメラのホールディング性能が向上し、手ブレ等の発生を防ぎ易いことがあるためである。
【００４３】
図２は、この発明の一実施形態に於ける一眼レフレックスカメラの外観を示し、カメラ背面から見た斜視図である。
【００４４】
図２に於いて、カメラ本体５０の背面部にはファインダ接眼部５１が配置されており、このファインダ接眼部５１の下方には、上述した液晶モニタ２５に相当するモニタ表示部５２が設けられている。また、モニタ表示部５２の左横方向には、このモニタ表示部５２の表示を切換えるための切換釦５３が配置されている。更に、カメラ本体５０の上面部には、レリーズ釦５４が配置されている。
【００４５】
次に、図３を参照して、この発明の一実施形態のカメラに於けるモニタ表示部５２の表示切換え動作及び表示内容について説明する。
【００４６】
図示されないカメラ撮影用電源スイッチが操作され、電気回路に電源が供給された直後では、図３（ａ）に示されるように、モニタ表示部５２には表示が何もされていない状態である（画面６０ａ）。この状態で、切換釦５３を一度押すと、図３（ｂ）に示されるように、モニタ表示部５２に被写体像が表示されるようになる（画面６０ｂ）。この被写体像は、ファインダ接眼部５１から観察される像と等価のものであり、また時間経過と共に順次更新される。
【００４７】
次に、再度切換釦５３を押すと、図３（ｃ）に示されるように、モニタ表示部５２には、被写体像の他に、この被写体像に重ねて方眼補助線がスーパーインポーズ表示されるようになる（画面６０ｃ）。更に、再度切換釦５３を押すと、図３（ｄ）に示されるように、モニタ表示部５２には、被写体像に重ねて目盛補助線がスーパーインポーズ表示されるようになる（画面６０ｄ）。
【００４８】
次いで、再度切換釦５３を押すと、図３（ｅ）に示されるように、モニタ表示部５２には、被写体像に重ねて黄金分割補助線がスーパーインポーズ表示されるようになる（画面６０ｅ）。そして、再度切換釦５３を押すと、モニタ表示部５２は、図３（ａ）に示される表示オフの状態へ戻る（画面６０ａ）。
【００４９】
このように、切換釦５３が操作される度に、モニタ表示部５２の表示は順次切換えられ、被写体像表示無し→被写体像表示有り・スーパーインポーズ無し→被写体像表示有り・方眼補助線のスーパーインポーズ→被写体像表示有り・目盛補助線のスーパーインポーズ→被写体像表示有り・黄金分割補助線のスーパーインポーズ→被写体像表示無し→…というように巡回される。
【００５０】
次に、図４及び図５のフローチャートを参照して、この発明の一実施形態のカメラの動作について説明する。
【００５１】
図４はカメラのメインルーチンの動作を説明するフローチャートであり、図５は図４に於ける表示サブルーチンの動作を説明するフローチャートである。
【００５２】
先ず、カメラに電源が投入されると、ステップＳ１にて、全てのレジスタ、入出力ポート、フラグの初期化が行われる。次に、ステップＳ２にて、サブルーチン「表示」が実行される。このサブルーチン「表示」は、図３で説明したように、液晶モニタ２５でなるモニタ表示部５２に被写体像及び構図決定用の補助線を表示させるサブルーチンであり、このサブルーチン「表示」についての詳細は後述する。
【００５３】
ステップＳ２のサブルーチン「表示」による１回の表示動作が終了すると、ステップＳ３に移行して、第１レリーズスイッチ４０ａの状態が判定される。ここで、第１レリーズスイッチ４０ａがオフ、つまり撮影者が第１レリーズスイッチ４０ａを操作していない状態であれば、上記ステップＳ２へ戻る。
【００５４】
一方、第１レリーズスイッチ４０ａがオン、つまり撮影者が第１レリーズスイッチ４０ａを操作している状態であれば、ステップＳ４へ移行して、サブルーチン「測光」が実行される。この測光動作は、上述したように、信号処理回路２３の測光機能によって被写体輝度を計測するものである。
【００５５】
このサブルーチン「測光」が終了すると、ステップＳ５に移行して、サブルーチン「焦点調節」が実行される。この焦点調節動作は、上述したように、ラインセンサ９上に結像された２像間隔に基いて、撮影光学系１を合焦位置へと駆動するものである。
【００５６】
焦点調節動作が終了したら、ステップＳ６に於いて、第２レリーズスイッチ４０ｂの状態が判定される。ここで、第２レリーズスイッチ４０ｂがオフ、つまり撮影者が第２レリーズスイッチ４０ｂを操作していない状態であれば、ステップＳ８へ移行する。
【００５７】
ステップＳ８では、再度、第１レリーズスイッチ４０ａの状態が判定される。これにより、第１レリーズスイッチ４０ａがオン、つまり撮影者が第１レリーズスイッチ４０ａを操作したままの状態であれば、上記ステップＳ６へ戻って、第２レリーズスイッチ４０ｂの状態判定が繰返される。
【００５８】
一方、上記ステップＳ８にて第２レリーズスイッチ４０ｂがオフ、つまり撮影者が第１及び第２レリーズスイッチ４０ａ及び４０ｂを共に操作していない状態であれば、上記ステップＳ２へと戻る。
【００５９】
また、上記ステップＳ６で第２レリーズスイッチ４０ｂがオンであると判定された場合は、ステップＳ７へ移行して、液晶モニタ２５が表示オフ、つまり何も表示されない状態にされて、次のステップＳ９の撮影シーケンスへと移行し、露出撮影動作が実行されることになる。
【００６０】
次に、上述したステップＳ２に於けるサブルーチン「表示」の詳細な動作について、図５を参照して説明する。
【００６１】
先ず、ステップＳ１１に於いて、切換スイッチ４２（切換釦５３）の状態が判定される。ここで、切換スイッチ４２がオフ、つまり切換釦５３が操作されていない状態であれば、ステップＳ１４に移行して表示カウンタの数値が０か否かが判定される。この表示カウンタは、カメラに電源が投入された後、切換釦５３が何回操作されたかをカウントし記憶しておくためのものであり、このカウント値に基いて液晶モニタ２５の表示形態が決定されることになる。
【００６２】
例えば、表示カウンタのカウント値が０であれば、図３（ａ）に示されるように、液晶モニタ２５はオフになり、表示カウンタのカウント値が１であれば、図３（ｂ）に示される状態に、カウント値が２であれば、図３（ｃ）に示される状態に、…というように表示される。
【００６３】
表示カウンタは、図４のフローチャートに於けるステップＳ１のサブルーチン「初期設定」によって、カメラへの電源投入直後にクリアされ、次に電源が投入操作されるまで内容を保持している。
【００６４】
上記ステップＳ１４に於いて、表示カウンタが０であれば、まだ一度も切換釦５３が操作されていない状態であるので、液晶モニタ２５に表示が行われることなくメインルーチンへ戻る。
【００６５】
一方、上記ステップＳ１１にて、切換スイッチ４２がオン、つまり切換釦５３が操作されている状態であると判定されたならば、ステップＳ１２へ移行して表示カウンタの値が４に達しているか否かが判定される。このステップＳ１２で、表示カウンタのカウント値が４に達していなければ、ステップ１３へ移行する。そして、表示カウンタの値に１加算されてから、ステップＳ１５のサブルーチン「画像取込」へ移行する。また、上記ステップＳ１４で、表示カウンタの値が０でない場合にもステップＳ１５のサブルーチン「画像取込」へ移行する。
【００６６】
このステップＳ１５のサブルーチン「画像取込」は、エリアセンサ９で撮像された被写体像を電子画像データに変換するように信号処理回路２３に画像取込み指示信号を出力するルーチンである。
【００６７】
ステップＳ１５で被写体像の画像取り込みが終了すると、続くステップＳ１６でサブルーチン「モニタ表示」が実行される。このサブルーチン「モニタ表示」では、上述した電子画像データに基いて、被写体像が液晶モニタ２５に表示されるように信号処理回路２３に表示指示信号が出力される。
【００６８】
続いて、ステップＳ１７、Ｓ１８及びＳ２０に於いて、表示カウンタの値が判定される。すなわち、ステップＳ１７に於いて、表示カウンタの値が１であれば、液晶モニタ２５への被写体像の表示は行われるが、構図決定用の補助線のスーパーインポーズ表示は行われないようにして、メインルーチンへ戻る。また、上記ステップＳ１７で表示カウンタの値が１でなければ、ステップＳ１８へ移行し、表示カウンタの値が２であるか否かが判定される。ここで、表示カウンタの値が２であれば、ステップ１９へ移行して、液晶モニタ２５に表示されている被写体像に重ねて方眼補助線がスーパーインポーズ表示される。その後、メインルーチンへ戻る。
【００６９】
尚、スーパーインポーズ表示は、上記ＲＯＭ３７ａに記憶されている複数の補助線パターンの中から１つの補助線パターンデータが読出され、このデータが送信された信号処理回路２３にて、このデータに基いて表示制御されることで行われる。
【００７０】
ステップＳ１８に於いて、表示カウンタの値が２でない場合は、ステップＳ２０へ移行する。そして、ステップＳ２０にて、表示カウンタの値が３であるか否かが判定される。ここで、該表示カウンタの値が３であれば、ステップＳ２１に移行して、目盛補助線がスーパーインポーズ表示される。
【００７１】
また、上記ステップＳ２０にて、表示カウンタの値が３でもなければ（表示カウントの値が４である場合）、ステップＳ２２へ移行して、黄金分割補助線がスーパーインポーズ表示される。その後、メインルーチンへ戻る。
【００７２】
また、上記ステップＳ１２により黄金分割補助線がスーパーインポーズ表示されている状態（表示カウンタの値が４になっている）である場合に、再度ステップＳ１１で切換スイッチ４２がオン、つまり切換釦５３が操作されると、ステップＳ１２へ移行して、表示カウンタの値が４に達しているか否かが判定される。
【００７３】
この場合、表示カウンタのカウント値が４であるので、ステップＳ２３へ移行することになり、表示カウンタの値が０にリセットされる。次いで、ステップＳ２４へ移行して、液晶モニタ２５の表示がオフにされる。その後、メインルーチンへ戻る。
【００７４】
以上説明したように、この実施形態では、通常の光学ファインダとは別にカメラ外部に設けたモニタ画面に被写体像と重ねて構図補助線をスーパーインポーズ表示するようにし、またその構図補助線も撮影する被写体に応じて適するものを容易に選択または切換え可能にしたので、慎重に行うべき構図決定作業をするにあたり、ファインダのような小さな画面を見たり、ファインダを覗くために目を所定位置にする必要がなく、被写体像及び構図補助線を見やすく表示できると共に、構図の確認が容易にでき、撮影者の眼精疲労も軽減することができる。
【００７５】
尚、上述した実施形態では、スーパーインポーズ表示される構図決定用補助線の種類の決定を、カメラ本体に設けられた表示切換釦を操作することで行うようにしているが、これに限られるものではない。例えば、撮影モードに応じて、最適な補助線が自動的に選択されるように、例えばマクロ撮影モード時には目盛補助線、風景撮影モード時では黄金分割補助線というように設定すれば、撮影者がいちいち選択操作をする煩わしさをなくすように構成することができる。
【００７６】
図６は、カメラが風景撮影モードに設定されている場合の表示例である。
【００７７】
切換釦５３が操作される度に、モニタ表示部５２の表示は順次切換えられる。すなわち、図６（ａ）に示される被写体像表示無し（画面６０ａ）→図６（ｂ）に示される被写体像表示有り（画面６０ｂ）→図６（ｃ）に示される被写体像有り・黄金分割補助線のスーパーインポーズ（画面６０ｃ）→図６（ａ）に示される被写体像表示無し（画面６０ａ）、というように巡回される。
【００７８】
図７は、カメラがマクロ撮影モードに設定されている場合の表示例である。
【００７９】
切換釦５３が操作される度に、モニタ表示部５２の表示は順次切換えられる。すなわち、図７（ａ）に示される被写体像表示無し（画面６１ａ）→図７（ｂ）に示される被写体像表示有り（画面６１ｂ）→図７（ｃ）に示される被写体像有り・目盛り補助線のスーパーインポーズ（画面６１ｃ）→図７（ａ）に示される被写体像表示無し（画面６１ａ）、というように巡回される。
【００８０】
図８は、上述した図４のフローチャートのステップＳ２に於けるサブルーチン「表示」の別の動作例を説明するフローチャートである。
【００８１】
この図８のフローチャートは、マクロモードが選択された時には、目盛り補助線のスーパーインポーズ表示が自動的に行われ、風景モードが選択された時は、黄金分割補助線のスーパーインポーズ表示が自動的に選択されるようになっている。その他の動作は、図５のフローチャートとほぼ同じである。
【００８２】
先ず、ステップＳ３１に於いて、切換スイッチ４２（切換釦５３）の状態が判定される。ここで、切換スイッチ４２がオフ、つまり切換釦５３が操作されていない状態であれば、ステップＳ３４に移行して表示カウンタの数値が０か否かが判定される。表示カウンタの数値が０であればメインルーチンへ戻り、０でなければステップＳ３５へ移行する。
【００８３】
上記ステップＳ３１にて切換スイッチ４２がオンであれば、ステップＳ３２へ移行して表示カウンタの値が２に達しているか否かが判定される。このステップＳ１２で、表示カウンタのカウント値が２に達していなければ、ステップ３３へ移行し、該カウント値が２であればステップＳ４３に移行する。
【００８４】
ステップＳ３３では、表示カウンタの値に１が加算され、続くステップＳ３５でサブルーチン「画像取込」が実行される。そして、ステップＳ３６にて、サブルーチン「モニタ表示」が実行される。
【００８５】
続いて、ステップＳ３７に於いて、表示カウンタの値が判定される。ここで、表示カウンタの値が１であれば、液晶モニタ２５への被写体像の表示は行われるが、構図決定用の補助線のスーパーインポーズ表示は行われないようにして、メインルーチンへ戻る。一方、上記ステップＳ３７で表示カウンタの値が１でなければ、ステップＳ３８へ移行し、マクロモードであるか否かが判定される。
【００８６】
ここで、マクロモードであれば、ステップＳ３９に移行して目盛補助線がスーパーインポーズ表示された後、メインルーチンへ戻る。一方、ステップＳ３８でマクロモードでないと判定された場合は、ステップＳ４０に移行して、風景モードであるか否かが判定される。
【００８７】
このステップＳ４０にて、風景モードである場合はステップＳ４１に移行して、黄金分割補助線がスーパーインポーズ表示される。その後、メインルーチンへ戻る。また、上記ステップＳ４０にて風景モードでもない場合は、ステップＳ４２に移行して方眼補助線がスーパーインポーズ表示される。その後、メインルーチンへ戻る。
【００８８】
上記ステップＳ３２で表示カウンタの値が２であれば、ステップＳ４３に移行して表示カウンタの値が０にリセットされる。次いで、ステップＳ４４へ移行して、液晶モニタ２５の表示がオフにされると、メインルーチンへ戻る。
【００８９】
このようにして、撮影モードに応じて目盛り補助線のスーパーインポーズ表示を自動的に行うことも可能である。
【００９０】
また、補助線データを記憶しているＲＯＭの代わりにＥＥＰＲＯＭを使用して、撮影者の好みに応じて補助線を変更したり、新たな補助線のデータを追加したりできるようにしてもよい。
【図面の簡単な説明】
【００９１】
【図１】この発明の一実施形態に於ける一眼レフレックスカメラの構成を示すブロック図である。
【図２】この発明の一実施形態に於ける一眼レフレックスカメラの外観を示し、カメラ背面から見た斜視図である。
【図３】この発明の一実施形態のカメラに於けるモニタ表示部５２の表示切換え動作及び表示内容を示す図である。
【図４】この発明の一実施形態のカメラのメインルーチンの動作を説明するフローチャートである。
【図５】図４に於けるステップＳ２のサブルーチン「表示」の動作を説明するフローチャートである。
【図６】この発明の一実施形態のカメラに於けるモニタ表示部５２の表示切換え動作及び表示内容を示すもので、カメラが風景撮影モードに設定されている場合の表示例である。
【図７】この発明の一実施形態のカメラに於けるモニタ表示部５２の表示切換え動作及び表示内容を示すもので、カメラがマクロ撮影モードに設定されている場合の表示例である。
【図８】図４のフローチャートのステップＳ２に於けるサブルーチン「表示」の別の動作例を説明するフローチャートである。
【図９】従来、一眼レフレックス銀塩カメラに用いられている着脱交換可能で、且つファインダ内表示される構図補助線が刻まれて形成されたフォーカシングスクリーンであって、構図補助線の異なる各表示タイプのものを示す正面図である。
【符号の説明】
【００９２】
１…撮影光学系、２…絞り機構、３…ハーフミラー、５…エリアセンサ、６…可動ミラー、７…サブミラー、９…ラインセンサ、１０…シャッタ、１１…銀塩フィルム、１２…磁気ヘッド、１４…ペンタプリズム、２０…レンズ駆動部、２１…絞り駆動部、２２…エリアセンサ駆動部、２３…信号処理回路、２４…ビデオメモリ、２５…液晶モニタ、２６…ラインセンサ駆動部、２７…ミラー駆動部、３０…データバス、３１…シャッタ駆動部、３２…フィルム駆動部、３３…磁気ヘッド駆動部、３５…ストロボ制御部、３６…不揮発性メモリ、３７…ＣＰＵ、３７ａ…ＲＯＭ、３８…スイッチ入力部、４０ａ…第１レリーズスイッチ、４０ｂ…第２レリーズスイッチ、４１…巻戻しスイッチ、４２…切換スイッチ、５０…カメラ本体、５１…ファインダ接眼部、５２…モニタ表示部、５３…切換釦。
【図１】
2005321832.tif 000003
【図２】
2005321832.tif 000004
【図３】
2005321832.tif 000005
【図４】
2005321832.tif 000006
【図５】
2005321832.tif 000007
【図６】
2005321832.tif 000008
【図７】
2005321832.tif 000009
【図８】
2005321832.tif 000010
【図９】
2005321832.tif 000011